(57)【要約】【課題】搬送ローラによって記録媒体を搬送する場合であって、かつ、記録媒体の幅方向に複数の磁気ヘッドが配列されている場合であっても、磁気ヘッドに対する記録媒体の傾きを抑制することが可能な媒体処理装置を提供する。【解決手段】この媒体処理装置では、記録媒体の幅方向であるＹ方向に、磁気ヘッド３０Ａ、３２Ａ、３４Ａと磁気ヘッド３０Ｂ、３２Ｂ、３４Ｂとが配列されている。また、Ｙ方向に、搬送ローラ７０Ａ〜７５Ａと搬送ローラ７０Ｂ〜７５Ｂとが配列されている。この媒体処理装置では、Ｙ１方向側に配置される磁気ヘッド３０Ａ、３２Ａ、３４Ａの少なくとも一部と搬送ローラ７０Ａ〜７５Ａの少なくとも一部とがＹ方向において同じ位置に配置されるとともに、Ｙ２方向側に配置される磁気ヘッド３０Ｂ、３２Ｂ、３４Ｂの少なくとも一部と搬送ローラ７０Ｂ〜７５Ｂの少なくとも一部とがＹ方向において同じ位置に配置されている。【選択図】図３
2020166564.tif 000002
【特許請求の範囲】
【請求項１】
カード状の記録媒体が搬送される媒体搬送路と、前記媒体搬送路で前記記録媒体を搬送する媒体搬送機構と、前記媒体搬送路で搬送される前記記録媒体に記録された磁気データの読取りおよび前記媒体搬送路で搬送される前記記録媒体への磁気データの記録の少なくともいずれか一方を行う磁気データ処理機構とを備え、
前記媒体搬送路で搬送される前記記録媒体の搬送方向と前記媒体搬送路で搬送される前記記録媒体の厚さ方向とに直交する方向を前記記録媒体の幅方向とし、前記記録媒体の幅方向の一方を第１方向とし、第１方向の反対方向を第２方向とすると、
前記磁気データ処理機構は、前記記録媒体の幅方向に配列される複数の磁気ヘッドを備え、
前記媒体搬送機構は、前記記録媒体の幅方向に配列されるとともに前記記録媒体に接触して前記記録媒体を搬送する複数の搬送ローラを備え、
複数の前記磁気ヘッドと複数の前記搬送ローラとは、前記記録媒体の搬送方向においてずれた位置に配置され、
前記記録媒体の幅方向に配列される複数の前記磁気ヘッドのうちの、最も第１方向側に配置される前記磁気ヘッドを第１磁気ヘッドとするとともに、最も第２方向側に配置される前記磁気ヘッドを第２磁気ヘッドとし、前記記録媒体の幅方向に配列される複数の前記搬送ローラのうちの、最も第１方向側に配置される前記搬送ローラを第１搬送ローラとするとともに、最も第２方向側に配置される前記搬送ローラを第２搬送ローラとすると、
前記第１磁気ヘッドの少なくとも一部と前記第１搬送ローラの少なくとも一部とが前記記録媒体の幅方向において同じ位置に配置され、
前記第２磁気ヘッドの少なくとも一部と前記第２搬送ローラの少なくとも一部とが前記記録媒体の幅方向において同じ位置に配置されていることを特徴とする媒体処理装置。
【請求項２】
前記記録媒体の幅方向における前記第１磁気ヘッドの中心と、前記記録媒体の幅方向における前記第１搬送ローラの中心とが、前記記録媒体の幅方向において同じ位置に配置され、
前記記録媒体の幅方向における前記第２磁気ヘッドの中心と、前記記録媒体の幅方向における前記第２搬送ローラの中心とが、前記記録媒体の幅方向において同じ位置に配置されていることを特徴とする請求項１記載の媒体処理装置。
【請求項３】
前記第１磁気ヘッドと前記第２磁気ヘッドとの２個の前記磁気ヘッドが前記記録媒体の幅方向において配列され、
前記第１搬送ローラと前記第２搬送ローラとの２個の前記搬送ローラが前記記録媒体の幅方向において配列されていることを特徴とする請求項２記載の媒体処理装置。
【請求項４】
前記記録媒体の厚さ方向から見たときに、前記第１磁気ヘッドと前記第２磁気ヘッドとが前記記録媒体の幅方向における前記媒体搬送路の中心線に対して対称に配置され、前記第１搬送ローラと前記第２搬送ローラとが前記記録媒体の幅方向における前記媒体搬送路の中心線に対して対称に配置されていることを特徴とする請求項３記載の媒体処理装置。
【請求項５】
前記第１磁気ヘッドおよび前記第２磁気ヘッドは、前記記録媒体の幅方向で並ぶように配置されるとともに前記記録媒体に記録された磁気データの読取りおよび前記記録媒体への磁気データの記録の少なくともいずれか一方を行う２個のチャンネルを有する２チャンネル型の磁気ヘッドであることを特徴とする請求項１から４のいずれかに記載の媒体処理装置。
【請求項６】
前記磁気データ処理機構は、前記記録媒体の厚さ方向の一方側から前記媒体搬送路に臨む複数の前記磁気ヘッドと、前記記録媒体の厚さ方向の他方側から前記媒体搬送路に臨む複数の前記磁気ヘッドとを備えることを特徴とする請求項１から５のいずれかに記載の媒体処理装置。
【請求項７】
前記磁気データ処理機構は、前記記録媒体の厚さ方向の一方側から前記媒体搬送路に臨む前記磁気ヘッドとして、前記記録媒体に記録された磁気データを読み取る第１読取り磁気ヘッドと、前記記録媒体に磁気データを記録する第１記録磁気ヘッドとを備えるとともに、前記記録媒体の厚さ方向の他方側から前記媒体搬送路に臨む前記磁気ヘッドとして、前記記録媒体に記録された磁気データを読み取る第２読取り磁気ヘッドと、前記記録媒体に磁気データを記録する第２記録磁気ヘッドとを備え、
前記第１読取り磁気ヘッドおよび前記第２読取り磁気ヘッドは、前記第１記録磁気ヘッドおよび前記第２記録磁気ヘッドよりも前記記録媒体の搬送方向における上流側に配置され、前記記録媒体の一方の面または他方の面のいずれが前記記録媒体の厚さ方向の一方側を向いた状態で前記媒体処理装置に前記記録媒体が挿入されたのかを検出することを特徴とする請求項６記載の媒体処理装置。
【請求項８】
前記記録媒体の幅方向における前記媒体搬送路の両側に配置され、前記記録媒体の搬送方向に前記記録媒体を案内するガイド部材を備えることを特徴とする請求項１から７のいずれかに記載の媒体処理装置。
【請求項９】
前記磁気データ処理機構は、前記磁気ヘッドに対向配置されるパッドローラと、前記パッドローラを回転可能に保持するとともに前記パッドローラが前記記録媒体に接触可能な接触位置と前記パッドローラが前記媒体搬送路から離れる方向に退避する退避位置との間で前記記録媒体の幅方向を回動の軸方向として回動可能なローラ保持部材と、前記接触位置と前記退避位置との間で前記ローラ保持部材を回動させる回動機構とを備え、
前記回動機構は、前記退避位置に向かって前記ローラ保持部材を付勢する第１付勢部材と、前記ローラ保持部材に固定されるカムフォロアと、前記カムフォロアが接触するカム面が形成されるとともに前記記録媒体の搬送方向にスライド可能なカム部材と、前記記録媒体の搬送方向の一方側へ前記カム部材を付勢する第２付勢部材と、前記記録媒体の搬送方向の他方側へ前記カム部材を移動させるソレノイドとを備え、
前記カム面は、前記記録媒体の厚さ方向に直交する平面である第１カム面と、前記記録媒体の搬送方向における前記第１カム面の一端に繋がるとともに前記記録媒体の厚さ方向に対して傾斜する第２カム面とを備え、
前記第１付勢部材の付勢力によって前記カムフォロアが前記カム面に接触し、
前記第２付勢部材の付勢力によって前記カム部材が前記記録媒体の搬送方向の一方側へ移動しているときには、前記第１カム面に前記カムフォロアが接触して、前記ローラ保持部材が前記接触位置に配置され、
前記ソレノイドが駆動して前記カム部材が前記記録媒体の搬送方向の他方側へ移動すると、前記カム面の、前記第１カム面から外れた位置に前記カムフォロアが接触して、前記ローラ保持部材が前記退避位置に配置されることを特徴とする請求項１から８のいずれかに記載の媒体処理装置。
【発明の詳細な説明】
【技術分野】
【０００１】
本発明は、カード状の記録媒体に記録される磁気データの読取りや、記録媒体への磁気データの記録を行う媒体処理装置に関する。
【背景技術】
【０００２】
従来、駅の改札口に設置される自動改札機に搭載されて使用される媒体処理装置が知られている（たとえば、特許文献１参照）。特許文献１に記載の媒体処理装置は、乗車券等のカード状の記録媒体に記録された磁気データの読取りと記録媒体への磁気データの書込みとを行う磁気データ読取り書込み部を備えている。磁気データ読取り書込み部は、２個の磁気ヘッドを有する第１磁気ヘッド部と、２個の磁気ヘッドを有する第２磁気ヘッド部と、２個の磁気ヘッドを有する第３磁気ヘッド部と、記録媒体を搬送する搬送機構とを備えている。
【０００３】
特許文献１に記載の媒体処理装置では、搬送機構は、記録媒体の上面に接触して記録媒体を搬送するベルトと、記録媒体の下面に接触して記録媒体を搬送するベルトとを備えている。また、この媒体処理装置では、第１磁気ヘッド部、第２磁気ヘッド部および第３磁気ヘッド部のそれぞれにおいて、２個の磁気ヘッドのうちの一方の磁気ヘッドは、媒体搬送路の下側から媒体搬送路に臨むように配置され、他方の磁気ヘッドは、媒体搬送路の上側から媒体搬送路に臨むように配置されている。
【０００４】
第１磁気ヘッド部、第２磁気ヘッド部および第３磁気ヘッド部が有する２個の磁気ヘッドは、記録媒体の磁気ストライプに記録される３トラックの磁気データに対応する３つのチャンネルを有する３チャンネル型の磁気ヘッドである。特許文献１に記載の媒体処理装置では、記録媒体の磁気ストライプに記録される３トラックの磁気データの読取りと、記録媒体の磁気ストライプへの３トラックの磁気データの記録（書込み）とを行うことが可能になっている。
【先行技術文献】
【特許文献】
【０００５】
【特許文献１】特開２０１３−３００７５号公報
【発明の概要】
【発明が解決しようとする課題】
【０００６】
特許文献１に記載の媒体処理装置で使用される記録媒体では、記録媒体の搬送方向と記録媒体の厚さ方向とに直交する記録媒体の幅方向における３トラックの磁気データの間隔が比較的狭くなっているため、３チャンネル型の１個の磁気ヘッドによって、記録媒体の一方の面に対する３トラックの磁気データの読取りや３トラックの磁気データの記録が可能となっている。一方で、市場には、複数トラックの磁気データが記録される記録媒体であって、記録媒体の幅方向におけるトラック間の幅が比較的広くなっている記録媒体も存在する。
【０００７】
このような記録媒体を処理する場合、幅の広い１個の磁気ヘッドによって複数トラックの磁気データの読取りや記録を行うことは難しい。そこで、本願発明者は、このような記録媒体を処理する媒体処理装置において、記録媒体の幅方向に複数の磁気ヘッドを配列することを検討している。また、記録媒体の幅方向に複数の磁気ヘッドが配列される場合には、記録媒体を搬送するベルトの設置スペースを確保することが難しくなるため、本願発明者は、搬送ローラを用いて記録媒体を搬送することを検討している。
【０００８】
しかしながら、搬送ローラによる記録媒体の搬送力は、一般に、ベルトによる記録媒体の搬送力よりも小さいため、搬送ローラによって記録媒体を搬送する場合、記録媒体の幅方向に複数の磁気ヘッドが配列されていると、搬送ローラによって搬送される記録媒体の前端が、記録媒体の幅方向に配列される複数の磁気ヘッドに接触したときに記録媒体に作用する外力の影響で、磁気ヘッドに対する記録媒体の傾き（スキュー、アジマス）が大きくなって、磁気データの読取り性能や磁気データの記録性能に影響を与える可能性があることが本願発明者の検討によって明らかになった。
【０００９】
そこで、本発明の課題は、搬送ローラによって記録媒体を搬送する場合であって、かつ、記録媒体の幅方向に複数の磁気ヘッドが配列されている場合であっても、磁気ヘッドに対する記録媒体の傾きを抑制することが可能な媒体処理装置を提供することにある。
【課題を解決するための手段】
【００１０】
上記の課題を解決するため、本発明の媒体処理装置は、カード状の記録媒体が搬送される媒体搬送路と、媒体搬送路で記録媒体を搬送する媒体搬送機構と、媒体搬送路で搬送される記録媒体に記録された磁気データの読取りおよび媒体搬送路で搬送される記録媒体への磁気データの記録の少なくともいずれか一方を行う磁気データ処理機構とを備え、媒体搬送路で搬送される記録媒体の搬送方向と媒体搬送路で搬送される記録媒体の厚さ方向とに直交する方向を記録媒体の幅方向とし、記録媒体の幅方向の一方を第１方向とし、第１方向の反対方向を第２方向とすると、磁気データ処理機構は、記録媒体の幅方向に配列される複数の磁気ヘッドを備え、媒体搬送機構は、記録媒体の幅方向に配列されるとともに記録媒体に接触して記録媒体を搬送する複数の搬送ローラを備え、複数の磁気ヘッドと複数の搬送ローラとは、記録媒体の搬送方向においてずれた位置に配置され、記録媒体の幅方向に配列される複数の磁気ヘッドのうちの、最も第１方向側に配置される磁気ヘッドを第１磁気ヘッドとするとともに、最も第２方向側に配置される磁気ヘッドを第２磁気ヘッドとし、記録媒体の幅方向に配列される複数の搬送ローラのうちの、最も第１方向側に配置される搬送ローラを第１搬送ローラとするとともに、最も第２方向側に配置される搬送ローラを第２搬送ローラとすると、第１磁気ヘッドの少なくとも一部と第１搬送ローラの少なくとも一部とが記録媒体の幅方向において同じ位置に配置され、第２磁気ヘッドの少なくとも一部と第２搬送ローラの少なくとも一部とが記録媒体の幅方向において同じ位置に配置されていることを特徴とする。
【００１１】
本発明の媒体処理装置では、記録媒体の幅方向の一方を第１方向とし、第１方向の反対方向を第２方向とすると、記録媒体の幅方向に配列される複数の磁気ヘッドのうちの、最も第１方向側に配置される第１磁気ヘッドの少なくとも一部と、記録媒体の幅方向に配列される複数の搬送ローラのうちの、最も第１方向側に配置される第１搬送ローラの少なくとも一部とが記録媒体の幅方向において同じ位置に配置されるとともに、最も第２方向側に配置される第２磁気ヘッドの少なくとも一部と、最も第２方向側に配置される第２搬送ローラの少なくとも一部とが記録媒体の幅方向において同じ位置に配置されている。
【００１２】
そのため、本発明では、記録媒体の幅方向に配列される複数の磁気ヘッドに記録媒体が接触して記録媒体に外力が作用しても、媒体搬送路の第１方向側における記録媒体の搬送量と、媒体搬送路の第２方向側における記録媒体の搬送量との差が発生するのを抑制することが可能になる。したがって、本発明では、搬送ローラによって記録媒体を搬送する場合であって、かつ、記録媒体の幅方向に複数の磁気ヘッドが配列されている場合であっても、磁気ヘッドに対する記録媒体の傾きを抑制することが可能になる。
【００１３】
なお、記録媒体の幅方向の両側に配置され搬送方向に記録媒体を案内するガイド部材の、記録媒体の幅方向における間隔を狭くすることでも、磁気ヘッドに対する記録媒体の傾きを抑制することは可能である。しかしながら、この場合には、媒体処理装置で処理される記録媒体の幅がばらついていて、比較的幅の広い記録媒体が媒体処理装置に取り込まれると、ガイド部材に記録媒体が引っ掛かって記録媒体を搬送できない場合が生じる。これに対して、本発明では、記録媒体の幅方向におけるガイド部材の間隔が広くなっていても、磁気ヘッドに対する記録媒体の傾きを抑制することが可能であるため、かかる問題は生じない。
【００１４】
本発明において、記録媒体の幅方向における第１磁気ヘッドの中心と、記録媒体の幅方向における第１搬送ローラの中心とが、記録媒体の幅方向において同じ位置に配置され、記録媒体の幅方向における第２磁気ヘッドの中心と、記録媒体の幅方向における第２搬送ローラの中心とが、記録媒体の幅方向において同じ位置に配置されていることが好ましい。
【００１５】
このように構成すると、記録媒体の幅方向に配列される複数の磁気ヘッドに記録媒体が接触して記録媒体に外力が作用しても、媒体搬送路の第１方向側における記録媒体の搬送量と媒体搬送路の第２方向側における記録媒体の搬送量との差が発生するのを効果的に抑制することが可能になる。したがって、磁気ヘッドに対する記録媒体の傾きを効果的に抑制することが可能になる。また、記録媒体が紙媒体のように比較的柔らかい媒体であっても、記録媒体の幅方向に配列される複数の磁気ヘッドに記録媒体が接触したときのねじれ等の記録媒体の変形を抑制することが可能になる。
【００１６】
本発明において、たとえば、第１磁気ヘッドと第２磁気ヘッドとの２個の磁気ヘッドが記録媒体の幅方向において配列され、第１搬送ローラと第２搬送ローラとの２個の搬送ローラが記録媒体の幅方向において配列されている。
【００１７】
この場合には、記録媒体の厚さ方向から見たときに、第１磁気ヘッドと第２磁気ヘッドとが記録媒体の幅方向における媒体搬送路の中心線に対して対称に配置され、第１搬送ローラと第２搬送ローラとが記録媒体の幅方向における媒体搬送路の中心線に対して対称に配置されていることが好ましい。このように構成すると、記録媒体の幅方向に配列される２個の磁気ヘッドに記録媒体が接触して記録媒体に外力が作用しても、媒体搬送路の第１方向側における記録媒体の搬送量と、媒体搬送路の第２方向側における記録媒体の搬送量との差が発生しにくくなる。したがって、磁気ヘッドに対する記録媒体の傾きをより効果的に抑制することが可能になる。また、記録媒体が紙媒体のように比較的柔らかい媒体であっても、記録媒体の幅方向に配列される複数の磁気ヘッドに記録媒体が接触したときの記録媒体のねじれを抑制することが可能になる。
【００１８】
本発明において、たとえば、第１磁気ヘッドおよび第２磁気ヘッドは、記録媒体の幅方向で並ぶように配置されるとともに記録媒体に記録された磁気データの読取りおよび記録媒体への磁気データの記録の少なくともいずれか一方を行う２個のチャンネルを有する２チャンネル型の磁気ヘッドである。
【００１９】
本発明において、磁気データ処理機構は、たとえば、記録媒体の厚さ方向の一方側から媒体搬送路に臨む複数の磁気ヘッドと、記録媒体の厚さ方向の他方側から媒体搬送路に臨む複数の磁気ヘッドとを備えている。この場合には、磁気データが記録される記録媒体の一方の面がどちらを向いた状態で媒体処理装置に記録媒体が取り込まれても、記録媒体を処理することが可能になる。
【００２０】
本発明において、磁気データ処理機構は、記録媒体の厚さ方向の一方側から媒体搬送路に臨む磁気ヘッドとして、記録媒体に記録された磁気データを読み取る第１読取り磁気ヘッドと、記録媒体に磁気データを記録する第１記録磁気ヘッドとを備えるとともに、記録媒体の厚さ方向の他方側から媒体搬送路に臨む磁気ヘッドとして、記録媒体に記録された磁気データを読み取る第２読取り磁気ヘッドと、記録媒体に磁気データを記録する第２記録磁気ヘッドとを備え、第１読取り磁気ヘッドおよび第２読取り磁気ヘッドは、第１記録磁気ヘッドおよび第２記録磁気ヘッドよりも記録媒体の搬送方向における上流側に配置され、記録媒体の一方の面または他方の面のいずれが記録媒体の厚さ方向の一方側を向いた状態で媒体処理装置に記録媒体が挿入されたのかを検出することが好ましい。このように構成すると、記録媒体の一方の面または他方の面のいずれが記録媒体の厚さ方向の一方側を向いた状態で媒体処理装置に記録媒体が挿入されたのかを検出するための検出機構が別途設けられている場合と比較して、媒体処理装置の構成を簡素化することが可能になる。
【００２１】
本発明において、媒体処理装置は、たとえば、記録媒体の幅方向における媒体搬送路の両側に配置され、記録媒体の搬送方向に記録媒体を案内するガイド部材を備えている。
【００２２】
本発明において、磁気データ処理機構は、磁気ヘッドに対向配置されるパッドローラと、パッドローラを回転可能に保持するとともにパッドローラが記録媒体に接触可能な接触位置とパッドローラが媒体搬送路から離れる方向に退避する退避位置との間で記録媒体の幅方向を回動の軸方向として回動可能なローラ保持部材と、接触位置と退避位置との間でローラ保持部材を回動させる回動機構とを備え、回動機構は、退避位置に向かってローラ保持部材を付勢する第１付勢部材と、ローラ保持部材に固定されるカムフォロアと、カムフォロアが接触するカム面が形成されるとともに記録媒体の搬送方向にスライド可能なカム部材と、記録媒体の搬送方向の一方側へカム部材を付勢する第２付勢部材と、記録媒体の搬送方向の他方側へカム部材を移動させるソレノイドとを備え、カム面は、記録媒体の厚さ方向に直交する平面である第１カム面と、記録媒体の搬送方向における第１カム面の一端に繋がるとともに記録媒体の厚さ方向に対して傾斜する第２カム面とを備え、第１付勢部材の付勢力によってカムフォロアがカム面に接触し、第２付勢部材の付勢力によってカム部材が記録媒体の搬送方向の一方側へ移動しているときには、第１カム面にカムフォロアが接触して、ローラ保持部材が接触位置に配置され、ソレノイドが駆動してカム部材が記録媒体の搬送方向の他方側へ移動すると、カム面の、第１カム面から外れた位置にカムフォロアが接触して、ローラ保持部材が退避位置に配置されることが好ましい。
【００２３】
このように構成すると、ローラ保持部材が接触位置に配置されているときに、記録媒体の厚さ方向に直交する第１カム面にカムフォロアが接触しているため、パッドローラに記録媒体からの反力が作用して、退避位置に向かう回動力がローラ保持部材に作用しても、カム部材には、記録媒体の搬送方向の力は作用しない。したがって、第２付勢部材の付勢力を弱めても、接触位置に配置されるローラ保持部材を接触位置で保持することが可能になる。
【発明の効果】
【００２４】
以上のように、本発明の媒体処理装置では、搬送ローラによって記録媒体を搬送する場合であって、かつ、記録媒体の幅方向に複数の磁気ヘッドが配列されている場合であっても、磁気ヘッドに対する記録媒体の傾きを抑制することが可能になる。
【図面の簡単な説明】
【００２５】
【図１】本発明の実施の形態にかかる媒体処理装置の概略構成を説明するための側面図である。
【図２】図１に示す媒体処理装置で使用される記録媒体の裏面を示す図である。
【図３】図１に示す媒体搬送機構および磁気データ処理機構の構成を説明するための図である。
【図４】図１に示す磁気データ処理機構のパッドローラ移動機構等の構成を説明するための図である。
【図５】図１に示す磁気データ処理機構のパッドローラ移動機構等の構成を説明するための図である。
【図６】図６（Ａ）は、図４のＥ部の拡大図であり、図６（Ｂ）は、図５のＦ部の拡大図である。
【図７】図７（Ａ）は、図５のＧ部の拡大図であり、図７（Ｂ）は、図４のＨ部の拡大図である。
【発明を実施するための形態】
【００２６】
以下、図面を参照しながら、本発明の実施の形態を説明する。
【００２７】
（媒体処理装置の概略構成）
図１は、本発明の実施の形態にかかる媒体処理装置１の概略構成を説明するための側面図である。図２は、図１に示す媒体処理装置１で使用される記録媒体２の裏面２ａを示す図である。
【００２８】
本形態の媒体処理装置１は、たとえば、駅の改札口に設置される自動改札機に搭載されて使用される。媒体処理装置１は、乗車券等のカード状の記録媒体２（図２参照）に記録された磁気データの読取りと、記録媒体２への磁気データの記録と、記録媒体２への印字とを行う。媒体処理装置１は、磁気データの読取り処理および記録処理を行うデータ処理部３と、印字処理を行う印字処理部４とを備えている。
【００２９】
図１に示すように、互いに直交する３方向のそれぞれをＸ方向、Ｙ方向およびＺ方向とすると、本形態では、上下方向（鉛直方向）とＺ方向とが一致するように媒体処理装置１が配置されている。以下の説明では、Ｙ方向を左右方向とし、Ｘ方向を前後方向とする。また、前後方向の一方側である図１等のＸ１方向側を「前」側とし、その反対側である図１等のＸ２方向側を「後ろ」側とする。また、左右方向の一方側である図３等のＹ１方向を「右」側とし、その反対側である図３等のＹ２方向側を「左」側とする。
【００３０】
印字処理部４の下端は、データ処理部３の後端に繋がっており、媒体処理装置１は、左右方向から見たときの形状が略Ｌ形状となるように形成されている。データ処理部３の前端には、記録媒体２が挿入される媒体挿入口６が形成され、印字処理部４の上端には、記録媒体２が排出される媒体排出口７が形成されている。また、データ処理部３では、後ろ方向に向かって記録媒体２が搬送され、印字処理部４では、略上方向に向かって記録媒体２が搬送される。
【００３１】
記録媒体２は、たとえば、所定の厚さの紙製のカード（紙媒体）であり、長方形状に形成されている。記録媒体２の裏面２ａには、磁気データが記録される磁気ストライプ２ｂが形成されている。本形態では、２本の磁気ストライプ２ｂが裏面２ａに形成されている。２本の磁気ストライプ２ｂは、長方形状に形成される記録媒体２の短辺方向において所定の間隔をあけた状態で配置されている。また、２本の磁気ストライプ２ｂは、記録媒体２の厚さ方向から見たときに、記録媒体２の短辺方向の中心線ＣＬ１に対して対称に配置されている。磁気ストライプ２ｂには、２トラックの磁気データが記録可能となっている。すなわち、記録媒体２には、４トラックの磁気データが記録可能となっている。記録媒体２のおもて面には、感熱方式で印字が行われる印字部が形成されている。
【００３２】
データ処理部３の内部には、記録媒体２が搬送される媒体搬送路９が形成されている。データ処理部３は、媒体搬送路９で記録媒体２を搬送する媒体搬送機構１０と、記録媒体２を取り込む媒体取込機構１１と、媒体搬送路９で搬送される記録媒体２に記録された磁気データの読取りおよび媒体搬送路９で搬送される記録媒体２への磁気データの記録を行う磁気データ処理機構１２とを備えている。データ処理部３の具体的な構成については後述する。
【００３３】
なお、上述のように、データ処理部３では、後ろ方向に向かって記録媒体２が搬送される。具体的には、データ処理部３では、記録媒体２は、記録媒体２の厚さ方向と上下方向とが一致するとともに、長方形状に形成される記録媒体２の長辺方向と前後方向とが一致するように後ろ方向に向かって媒体搬送路９で搬送される。すなわち、前後方向（Ｘ方向）は、媒体搬送路９で搬送される記録媒体２の搬送方向であり、上下方向（Ｚ方向）は、媒体搬送路９で搬送される記録媒体２の厚さ方向である。
【００３４】
また、左右方向（Ｙ方向）は、記録媒体２の搬送方向と記録媒体２の厚さ方向とに直交する方向である記録媒体２の幅方向となっている。本形態では、右方向（Ｙ１方向）は、記録媒体２の幅方向の一方である第１方向となっており、左方向（Ｙ２方向）は、第１方向の反対方向である第２方向となっている。また、データ処理部３において、前側（Ｘ１方向側）は、記録媒体２の搬送方向における上流側である。
【００３５】
印字処理部４の内部には、記録媒体２が搬送される媒体搬送路１４が形成されている。印字処理部４は、媒体搬送路１４で記録媒体２を搬送する複数の搬送ローラ１５と、記録媒体２のおもて面の印字部に印字を行う２個のサーマルヘッド１６、１７と、サーマルヘッド１６を移動させるためのソレノイド１８と、サーマルヘッド１７を移動させるためのソレノイド１９とを備えている。上述のように、印字処理部４では、略上方向に向かって記録媒体２が搬送される。すなわち、媒体搬送路１４では、記録媒体２は略上方向に向かって搬送される。
【００３６】
搬送ローラ１５は、プーリやベルト等の動力伝達機構を介して、後述のモータ７６に連結されている。搬送ローラ１５には、パッドローラ２０が対向配置されている。パッドローラ２０は、搬送ローラ１５に向かって付勢されている。サーマルヘッド１６は、媒体搬送路１４の略前側から媒体搬送路１４に臨むように配置され、サーマルヘッド１７は、媒体搬送路１４の略後ろ側から媒体搬送路１４に臨むように配置されている。
【００３７】
サーマルヘッド１６は、ソレノイド１８の動力によって、記録媒体２に接触可能な接触位置と、媒体搬送路１４から退避する退避位置との間で移動する。同様に、サーマルヘッド１７は、ソレノイド１９の動力によって、記録媒体２に接触可能な接触位置と、媒体搬送路１４から退避する退避位置との間で移動する。サーマルヘッド１６、１７には、パッドローラ２１が対向配置されている。パッドローラ２１は、サーマルヘッド１６、１７に向かって付勢されている。
【００３８】
（データ処理部の構成）
図３は、図１に示す媒体搬送機構１０および磁気データ処理機構１２の構成を説明するための図である。図４、図５は、図１に示す磁気データ処理機構１２のパッドローラ移動機構４７、４８等の構成を説明するための図である。図６（Ａ）は、図４のＥ部の拡大図であり、図６（Ｂ）は、図５のＦ部の拡大図である。図７（Ａ）は、図５のＧ部の拡大図であり、図７（Ｂ）は、図４のＨ部の拡大図である。
【００３９】
上述のように、データ処理部３は、媒体搬送機構１０と媒体取込機構１１と磁気データ処理機構１２とを備えている。また、データ処理部３は、前後方向に記録媒体２を案内するガイド部材２５を備えている。ガイド部材２５は、左右方向における媒体搬送路９の両側に配置されており、媒体搬送路９の左右の側面を構成している。
【００４０】
ガイド部材２５は、たとえば、左右方向に直交する平板状に形成されている。２枚のガイド部材２５の左右方向の間隔は、記録媒体２の短辺方向の幅よりも広くなっている。本形態では、媒体搬送路９の左右方向の中心線ＣＬ２と記録媒体２の短辺方向の中心線ＣＬ１とが一致している状態で記録媒体２が媒体搬送路９で搬送されているときに、記録媒体２の短辺方向の両端のそれぞれと、２枚のガイド部材２５のそれぞれとの間に適度な隙間が形成されるように、２枚のガイド部材２５の左右方向の間隔が設定されている。
【００４１】
媒体取込機構１１は、磁気データ処理機構１２の前側に配置されている。媒体取込機構１１は、媒体挿入口６を閉鎖するためのシャッタ部材（図示省略）、および、媒体挿入口６に挿入された記録媒体２を取り込むための取込ローラ２６等を備えている。取込ローラ２６は、たとえば、媒体搬送路９の下側から媒体搬送路９に臨むように配置されている。取込ローラ２６は、プーリやベルト等の動力伝達機構を介して、後述のモータ７６に連結されている。取込ローラ２６には、パッドローラ２７が上側から対向配置されている。パッドローラ２７は、取込ローラ２６に向かって付勢されている。
【００４２】
磁気データ処理機構１２は、磁気ヘッド３０、３１を有する磁気ヘッド部３７と、磁気ヘッド３２、３３を有する磁気ヘッド部３８と、磁気ヘッド３４、３５を有する磁気ヘッド部３９とを備えている。本形態の磁気ヘッド部３７は、２個の磁気ヘッド３０と、２個の磁気ヘッド３１とを備えている。同様に、磁気ヘッド部３８は、２個の磁気ヘッド３２と、２個の磁気ヘッド３３とを備えており、磁気ヘッド部３９は、２個の磁気ヘッド３４と、２個の磁気ヘッド３５とを備えている。
【００４３】
磁気ヘッド部３７〜３９は、磁気ヘッド３０〜３５のそれぞれに対向配置されるパッドローラ４０〜４５を備えている。また、磁気データ処理機構１２は、パッドローラ４２、４４を移動させるパッドローラ移動機構４７と、パッドローラ４１、４３、４５を移動させるパッドローラ移動機構４８とを備えている。磁気ヘッド部３７〜３９は、前側から後ろ側に向かってこの順番に、かつ、所定の間隔をあけた状態で配置されている。
【００４４】
磁気ヘッド３０、３２、３４は、磁気ヘッド３０、３２、３４の磁気ギャップが媒体搬送路９の下側から媒体搬送路９に臨むように配置されている。磁気ヘッド３１、３３、３５は、磁気ヘッド３１、３３、３５の磁気ギャップが媒体搬送路９の上側から媒体搬送路９に臨むように配置されている。すなわち、磁気データ処理機構１２は、下側から媒体搬送路９に臨む複数の磁気ヘッド３０、３２、３４と、上側から媒体搬送路９に臨む複数の磁気ヘッド３１、３３、３５とを備えている。具体的には、磁気データ処理機構１２は、下側から媒体搬送路９に臨む６個の磁気ヘッド３０、３２、３４と、上側から媒体搬送路９に臨む６個の磁気ヘッド３１、３３、３５とを備えている。
【００４５】
磁気ヘッド３０、３１は、記録媒体２の磁気ストライプ２ｂに記録された磁気データを読み取る読取りヘッドである。磁気ヘッド３２、３３は、記録媒体２の磁気ストライプ２ｂに磁気データを記録する記録ヘッドである。磁気ヘッド３４、３５は、磁気ヘッド３２、３３によって記録媒体２の磁気ストライプ２ｂに記録された磁気データを読み取って、磁気ストライプ２ｂに磁気データが適切に記録されたのか否かを確認するためのベリファイヘッドである。本形態の磁気ヘッド３０は、第１読取り磁気ヘッドであり、磁気ヘッド３２は、第１記録磁気ヘッドであり、磁気ヘッド３１は、第２読取り磁気ヘッドであり、磁気ヘッド３３は、第２記録磁気ヘッドである。
【００４６】
また、磁気ヘッド３０、３１、３４、３５は、２チャンネル型の磁気ヘッドであり、左右方向で並ぶように配置されるとともに記録媒体２に記録された磁気データの読取りを行う２個のチャンネルを備えている。磁気ヘッド３０、３１、３４、３５において、２個のチャンネルは、上下方向から見たときに、磁気ヘッド３０、３１、３４、３５の左右方向の中心線に対して対称に配置されている。
【００４７】
磁気ヘッド３２、３３も２チャンネル型の磁気ヘッドであり、左右方向で並ぶように配置されるとともに記録媒体２への磁気データの記録を行う２個のチャンネルを備えている。磁気ヘッド３２、３３において、２個のチャンネルは、上下方向から見たときに、磁気ヘッド３２、３３の左右方向の中心線に対して対称に配置されている。磁気ヘッド３０〜３５は、媒体搬送路９で搬送される記録媒体２に常時、接触可能な位置に配置されている。
【００４８】
上述のように、磁気ヘッド部３７〜３９は、前側から後ろ側に向かってこの順番で配置されており、磁気ヘッド３０、３１は、磁気ヘッド３２、３３よりも前側に配置され、磁気ヘッド３２、３３は、磁気ヘッド３４、３５よりも前側に配置されている。すなわち、磁気ヘッド３０、３１は、磁気ヘッド３２、３３よりも記録媒体２の搬送方向における上流側に配置され、磁気ヘッド３２、３３は、磁気ヘッド３４、３５よりも記録媒体２の搬送方向における上流側に配置されている。
【００４９】
また、磁気ヘッド３０は、磁気ヘッド３１よりも前側に配置され、磁気ヘッド３２は、磁気ヘッド３３よりも前側に配置され、磁気ヘッド３４は、磁気ヘッド３５よりも前側に配置されている。磁気ヘッド３０の磁気ギャップと磁気ヘッド３１の磁気ギャップとの前後方向の距離、磁気ヘッド３２の磁気ギャップと磁気ヘッド３３の磁気ギャップとの前後方向の距離、および、磁気ヘッド３４の磁気ギャップと磁気ヘッド３５の磁気ギャップとの前後方向の距離は、記録媒体２の長辺方向の長さよりも短くなっている。
【００５０】
図３に示すように、２個の磁気ヘッド３０は、左右方向に間隔をあけた状態で前後方向において同じ位置に配置され、２個の磁気ヘッド３２は、左右方向に間隔をあけた状態で前後方向において同じ位置に配置され、２個の磁気ヘッド３４は、左右方向に間隔をあけた状態で前後方向において同じ位置に配置されている。同様に、２個の磁気ヘッド３１は、左右方向に間隔をあけた状態で前後方向において同じ位置に配置され、２個の磁気ヘッド３３は、左右方向に間隔をあけた状態で前後方向において同じ位置に配置され、２個の磁気ヘッド３５は、左右方向に間隔をあけた状態で前後方向において同じ位置に配置されている。
【００５１】
すなわち、磁気データ処理機構１２は、左右方向に配列される２個の磁気ヘッド３０と、左右方向に配列される２個の磁気ヘッド３１と、左右方向に配列される２個の磁気ヘッド３２と、左右方向に配列される２個の磁気ヘッド３３と、左右方向に配列される２個の磁気ヘッド３４と、左右方向に配列される２個の磁気ヘッド３５とを備えている。右側に配置される磁気ヘッド３０と磁気ヘッド３１と磁気ヘッド３２と磁気ヘッド３３と磁気ヘッド３４と磁気ヘッド３５とは、左右方向において同じ位置に配置されている。また、左側に配置される磁気ヘッド３０と磁気ヘッド３１と磁気ヘッド３２と磁気ヘッド３３と磁気ヘッド３４と磁気ヘッド３５とは、左右方向において同じ位置に配置されている。
【００５２】
本形態では、右側に配置される磁気ヘッド３０は、左右方向に配列される２個の磁気ヘッド３０のうちの最も右側に配置される磁気ヘッドである第１磁気ヘッドとなっており、左側に配置される磁気ヘッド３０は、最も左側に配置される磁気ヘッドである第２磁気ヘッドとなっている。同様に、本形態では、右側に配置される磁気ヘッド３１〜３５は、第１磁気ヘッドとなっており、左側に配置される磁気ヘッド３１〜３５は、第２磁気ヘッドとなっている。
【００５３】
以下の説明では、右側に配置される磁気ヘッド３０〜３５と左側に配置される磁気ヘッド３０〜３５とを区別して表す場合には、右側に配置される磁気ヘッド３０〜３５を「磁気ヘッド３０Ａ〜３５Ａ」とし、左側に配置される磁気ヘッド３０〜３５を「磁気ヘッド３０Ｂ〜３５Ｂ」とする。
【００５４】
上下方向から見たときに、磁気ヘッド３０Ａと磁気ヘッド３０Ｂとは、媒体搬送路９の左右方向の中心線ＣＬ２に対して対称に配置されている。同様に、上下方向から見たときに、磁気ヘッド３１Ａと磁気ヘッド３１Ｂとは、中心線ＣＬ２に対して対称に配置され、磁気ヘッド３２Ａと磁気ヘッド３２Ｂとは、中心線ＣＬ２に対して対称に配置され、磁気ヘッド３３Ａと磁気ヘッド３３Ｂとは、中心線ＣＬ２に対して対称に配置され、磁気ヘッド３４Ａと磁気ヘッド３４Ｂとは、中心線ＣＬ２に対して対称に配置され、磁気ヘッド３５Ａと磁気ヘッド３５Ｂとは、中心線ＣＬ２に対して対称に配置されている。
【００５５】
パッドローラ４０は、上側から磁気ヘッド３０に対向配置されている。パッドローラ４１は、下側から磁気ヘッド３１に対向配置され、パッドローラ４２は、上側から磁気ヘッド３２に対向配置され、パッドローラ４３は、下側から磁気ヘッド３３に対向配置され、パッドローラ４４は、上側から磁気ヘッド３４に対向配置され、パッドローラ４５は、下側から磁気ヘッド３５に対向配置されている。
【００５６】
本形態では、１個の磁気ヘッド３１に対して２個のパッドローラ４１が設置されている（図３参照）。１個の磁気ヘッド３１に対して設置される２個のパッドローラ４１は、左右方向に間隔をあけた状態で配置されている。また、１個の磁気ヘッド３１に対して設置される２個のパッドローラ４１のそれぞれは、磁気ヘッド３１の２個のチャンネルのそれぞれに下側から対向配置されている。
【００５７】
同様に、本形態では、１個の磁気ヘッド３３に対して２個のパッドローラ４３が設置されており（図３参照）、１個の磁気ヘッド３３に対して設置される２個のパッドローラ４３のそれぞれは、磁気ヘッド３３の２個のチャンネルのそれぞれに下側から対向配置されている。また、１個の磁気ヘッド３５に対して２個のパッドローラ４５が設置されており（図３参照）、１個の磁気ヘッド３５に対して設置される２個のパッドローラ４５のそれぞれは、磁気ヘッド３５の２個のチャンネルのそれぞれに下側から対向配置されている。
【００５８】
また、１個の磁気ヘッド３０に対して２個のパッドローラ４０が設置されており、１個の磁気ヘッド３０に対して設置される２個のパッドローラ４０のそれぞれは、磁気ヘッド３０の２個のチャンネルのそれぞれに上側から対向配置されている。また、１個の磁気ヘッド３２に対して２個のパッドローラ４２が設置されており、１個の磁気ヘッド３２に対して設置される２個のパッドローラ４２のそれぞれは、磁気ヘッド３２の２個のチャンネルのそれぞれに上側から対向配置されている。また、１個の磁気ヘッド３４に対して２個のパッドローラ４４が設置されており、１個の磁気ヘッド３４に対して設置される２個のパッドローラ４４のそれぞれは、磁気ヘッド３４の２個のチャンネルのそれぞれに上側から対向配置されている。
【００５９】
パッドローラ移動機構４７は、パッドローラ４２、４４のそれぞれを回転可能に保持する２個のローラ保持部材５０と、２個のローラ保持部材５０を回動させる回動機構５１とを備えている。ローラ保持部材５０は、鋼板等の金属板を所定形状に折り曲げることで形成されている。ローラ保持部材５０は、固定軸５２に回動可能に支持されており、左右方向を回動の軸方向として回動可能となっている。固定軸５２は、媒体処理装置１のフレームに固定されている。固定軸５２の軸方向は、左右方向と一致している。ローラ保持部材５０は、パッドローラ４２、４４が記録媒体２に接触可能な接触位置５０Ａ（図４参照）とパッドローラ４２、４４が媒体搬送路９から離れる方向に退避する（すなわち、上方向へ退避する）退避位置５０Ｂ（図５参照）との間で回動可能となっている。
【００６０】
回動機構５１は、接触位置５０Ａと退避位置５０Ｂとの間でローラ保持部材５０を回動させる。回動機構５１は、退避位置５０Ｂに向かってローラ保持部材５０を付勢する第１付勢部材としてのネジリコイルバネ５３と、ローラ保持部材５０に固定されるカムフォロア５４と、カムフォロア５４が接触するカム面５５ａが形成されるとともに前後方向にスライド可能なカム部材５５と、後ろ側へカム部材５５を付勢する第２付勢部材としての引張りコイルバネ５６と、前側へカム部材５５を移動させるソレノイド５７とを備えている。
【００６１】
ネジリコイルバネ５３には、固定軸５２が挿通されている。ネジリコイルバネ５３の一端部は、媒体処理装置１のフレームに係合し、ネジリコイルバネ５３の他端部は、ローラ保持部材５０に係合している。カムフォロア５４は、ローラ保持部材５０から左右方向の一方側に突出するピンである。カム部材５５は、鋼板等の金属板を所定形状に折り曲げることで形成されている。カム部材５５には、カム部材５５を前後方向に案内するガイド軸（図示省略）が挿通される貫通穴（図示省略）が形成されている。
【００６２】
カム面５５ａは、カム部材５５の下端面に形成されている。図６に示すように、カム面５５ａは、上下方向に直交する平面である第１カム面５５ｃと、第１カム面５５ｃの後端に繋がるとともに上下方向に対して傾斜する第２カム面５５ｄとから構成されている。第２カム面５５ｄは、後ろ側に向かうにしたがって上側に向かうように傾斜する傾斜面となっている。引張りコイルバネ５６の一端は、カム部材５５に取り付けられ、引張りコイルバネ５６の他端は、媒体処理装置１のフレームに取り付けられている。ソレノイド５７は、所定の連結部材を介してカム部材５５に連結されている。
【００６３】
本形態では、ネジリコイルバネ５３の付勢力によってカムフォロア５４がカム面５５ａに接触している。カムフォロア５４は、下側からカム面５５ａに接触している。また、本形態では、引張りコイルバネ５６の付勢力によってカム部材５５が後ろ側に移動しているときには、第１カム面５５ｃにカムフォロア５４が接触して、ローラ保持部材５０が接触位置５０Ａに配置されており、パッドローラ４２、４４は、記録媒体２に接触可能になっている（図４、図６（Ａ）参照）。
【００６４】
一方、ソレノイド５７が駆動してカム部材５５が前側へ移動すると、第２カム面５５ｄにカムフォロア５４が接触して、ローラ保持部材５０が退避位置５０Ｂに配置され、パッドローラ４２、４４が媒体搬送路９から離れる（図５、図６（Ｂ）参照）。すなわち、ソレノイド５７が駆動してカム部材５５が前側へ移動すると、カム面５５ａの、第１カム面５５ｃから外れた位置にカムフォロア５４が接触して、ローラ保持部材５０が退避位置５０Ｂに配置される。
【００６５】
なお、パッドローラ４０は、ローラ保持部材５０と同様に形成されるローラ保持部材５８に回転可能に保持されている。本形態では、ローラ保持部材５８は、パッドローラ４０が記録媒体２に接触可能な接触位置に常時配置されており、パッドローラ４０が媒体搬送路９から離れる方向に退避する退避位置には回動しない。ただし、ローラ保持部材５８は、ローラ保持部材５０と同様に、接触位置と退避位置との間で回動可能となっていても良い。
【００６６】
パッドローラ移動機構４８は、パッドローラ４１、４３、４５のそれぞれを回転可能に保持する３個のローラ保持部材６０と、３個のローラ保持部材６０を回動させる回動機構６１とを備えている。ローラ保持部材６０は、ローラ保持部材５０と同様に形成されている。ローラ保持部材６０は、固定軸６２に回動可能に支持されており、左右方向を回動の軸方向として回動可能となっている。固定軸６２は、媒体処理装置１のフレームに固定されている。ローラ保持部材６０は、パッドローラ４１、４３、４５が記録媒体２に接触可能な接触位置６０Ａ（図５参照）とパッドローラ４１、４３、４５が媒体搬送路９から離れる方向に退避する（すなわち、下方向へ退避する）退避位置６０Ｂ（図４参照）との間で回動可能となっている。
【００６７】
回動機構６１は、接触位置６０Ａと退避位置６０Ｂとの間でローラ保持部材６０を回動させる。回動機構６１は、回動機構５１と同様に、退避位置６０Ｂに向かってローラ保持部材６０を付勢する第１付勢部材としてのネジリコイルバネ６３と、ローラ保持部材６０に固定されるカムフォロア６４と、カムフォロア６４が接触するカム面６５ａが形成されるとともに前後方向にスライド可能なカム部材６５と、前側へカム部材６５を付勢する第２付勢部材としての引張りコイルバネ６６と、後ろ側へカム部材６５を移動させるソレノイド６７とを備えている。
【００６８】
ネジリコイルバネ６３には、固定軸６２が挿通されている。ネジリコイルバネ６３の一端部は、媒体処理装置１のフレームに係合し、ネジリコイルバネ６３の他端部は、ローラ保持部材６０に係合している。カムフォロア６４は、ローラ保持部材６０から左右方向の一方側に突出するピンである。カム部材６５は、鋼板等の金属板を所定形状に折り曲げることで形成されている。カム部材６５には、カム部材６５を前後方向に案内するガイド軸（図示省略）が挿通される貫通穴（図示省略）が形成されている。
【００６９】
カム面６５ａは、カム部材６５の上端面に形成されている。図７に示すように、カム面６５ａは、上下方向に直交する平面である第１カム面６５ｃと、第１カム面６５ｃの前端に繋がるとともに上下方向に対して傾斜する第２カム面６５ｄと、第２カム面６５ｄの前端に繋がるとともに上下方向に直交する平面である第３カム面６５ｅとから構成されている。第２カム面６５ｄは、前側に向かうにしたがって下側に向かうように傾斜する傾斜面となっている。第３カム面６５ｅは、第１カム面６５ｃよりも下側に配置されている。引張りコイルバネ６６の一端は、カム部材６５に取り付けられ、引張りコイルバネ６６の他端は、媒体処理装置１のフレームに取り付けられている。ソレノイド６７は、所定の連結部材を介してカム部材６５に連結されている。
【００７０】
本形態では、ネジリコイルバネ６３の付勢力によってカムフォロア６４がカム面６５ａに接触している。カムフォロア６４は、上側からカム面６５ａに接触している。また、本形態では、引張りコイルバネ６６の付勢力によってカム部材６５が前側に移動しているときには、第１カム面６５ｃにカムフォロア６４が接触して、ローラ保持部材６０が接触位置６０Ａに配置されており、パッドローラ４１、４３、４５は、記録媒体２に接触可能になっている（図５、図７（Ａ）参照）。
【００７１】
一方、ソレノイド６７が駆動してカム部材６５が後ろ側へ移動すると、第３カム面６５ｅにカムフォロア６４が接触して、ローラ保持部材６０が退避位置６０Ｂに配置され、パッドローラ４１、４３、４５が媒体搬送路９から離れる（図４、図７（Ｂ）参照）。すなわち、ソレノイド６７が駆動してカム部材６５が前側へ移動すると、カム面６５ａの、第１カム面６５ｃから外れた位置にカムフォロア６４が接触して、ローラ保持部材６０が退避位置６０Ｂに配置される。
【００７２】
媒体搬送機構１０は、記録媒体２に接触して記録媒体２を搬送する複数の搬送ローラ７０〜７５と、複数の搬送ローラ７０〜７５を回転させるためのモータ７６とを備えている。搬送ローラ７０〜７５は、前後方向において磁気ヘッド３０〜３５とずれた位置に配置されている。本形態では、媒体搬送機構１０は、２個の搬送ローラ７０と、２個の搬送ローラ７１と、２個の搬送ローラ７２と、２個の搬送ローラ７３と、２個の搬送ローラ７４と、２個の搬送ローラ７５とを備えている。
【００７３】
搬送ローラ７０〜７５は、媒体搬送路９の下側から媒体搬送路９に臨むように配置されている。搬送ローラ７０〜７５は、前側から後ろ側に向かってこの順番で配置されている。また、搬送ローラ７０〜７５は、前後方向において間隔をあけた状態で配置されている。搬送ローラ７０は、磁気ヘッド３０よりも前側に配置され、搬送ローラ７１は、前後方向において磁気ヘッド３１と磁気ヘッド３２との間に配置され、搬送ローラ７２、７３は、前後方向において磁気ヘッド３３と磁気ヘッド３４との間に配置され、搬送ローラ７４、７５は、磁気ヘッド３５よりも後ろ側に配置されている。
【００７４】
複数の搬送ローラ７０〜７５は、ベルトおよびプーリ等の動力伝達機構を介してモータ７６に連結されている。搬送ローラ７０〜７５のそれぞれには、パッドローラ７７が対向配置されている。パッドローラ７７は、媒体搬送路９の上側から媒体搬送路９に臨むように配置されている。パッドローラ７７は、搬送ローラ７０〜７５に向かって付勢されている。
【００７５】
図３に示すように、２個の搬送ローラ７０は、左右方向に間隔をあけた状態で前後方向において同じ位置に配置され、２個の搬送ローラ７１は、左右方向に間隔をあけた状態で前後方向において同じ位置に配置され、２個の搬送ローラ７２は、左右方向に間隔をあけた状態で前後方向において同じ位置に配置され、２個の搬送ローラ７３は、左右方向に間隔をあけた状態で前後方向において同じ位置に配置され、２個の搬送ローラ７４は、左右方向に間隔をあけた状態で前後方向において同じ位置に配置され、２個の搬送ローラ７５は、左右方向に間隔をあけた状態で前後方向において同じ位置に配置されている。
【００７６】
すなわち、媒体搬送機構１０は、左右方向に配列される２個の搬送ローラ７０と、左右方向に配列される２個の搬送ローラ７１と、左右方向に配列される２個の搬送ローラ７２と、左右方向に配列される２個の搬送ローラ７３と、左右方向に配列される２個の搬送ローラ７４と、左右方向に配列される２個の搬送ローラ７５とを備えている。右側に配置される搬送ローラ７０と搬送ローラ７１と搬送ローラ７２と搬送ローラ７３と搬送ローラ７４と搬送ローラ７５とは、左右方向において同じ位置に配置されている。また、左側に配置される搬送ローラ７０と搬送ローラ７１と搬送ローラ７２と搬送ローラ７３と搬送ローラ７４と搬送ローラ７５とは、左右方向において同じ位置に配置されている。
【００７７】
本形態では、右側に配置される搬送ローラ７０は、左右方向に配列される２個の搬送ローラ７０のうちの最も右側に配置される搬送ローラである第１搬送ローラとなっており、左側に配置される搬送ローラ７０は、最も左側に配置される搬送ローラである第２搬送ローラとなっている。同様に、本形態では、右側に配置される搬送ローラ７１〜７５は、第１搬送ローラとなっており、左側に配置される搬送ローラ７１〜７５は、第２搬送ローラとなっている。
【００７８】
以下の説明では、右側に配置される搬送ローラ７０〜７５と左側に配置される搬送ローラ７０〜７５とを区別して表す場合には、右側に配置される搬送ローラ７０〜７５を「搬送ローラ７０Ａ〜７５Ａ」とし、左側に配置される搬送ローラ７０〜７５を「搬送ローラ７０Ｂ〜７５Ｂ」とする。
【００７９】
上下方向から見たときに、搬送ローラ７０Ａと搬送ローラ７０Ｂとは、媒体搬送路９の左右方向の中心線ＣＬ２に対して対称に配置されている。同様に、上下方向から見たときに、搬送ローラ７１Ａと搬送ローラ７１Ｂとは、中心線ＣＬ２に対して対称に配置され、搬送ローラ７２Ａと搬送ローラ７２Ｂとは、中心線ＣＬ２に対して対称に配置され、搬送ローラ７３Ａと搬送ローラ７３Ｂとは、中心線ＣＬ２に対して対称に配置され、搬送ローラ７４Ａと搬送ローラ７４Ｂとは、中心線ＣＬ２に対して対称に配置され、搬送ローラ７５Ａと搬送ローラ７５Ｂとは、中心線ＣＬ２に対して対称に配置されている。
【００８０】
磁気ヘッド３０Ａ〜３５Ａの少なくとも一部と、搬送ローラ７０Ａ〜７５Ａの少なくとも一部とは、左右方向において同じ位置に配置されている。また、磁気ヘッド３０Ｂ〜３５Ｂの少なくとも一部と、搬送ローラ７０Ｂ〜７５Ｂの少なくとも一部とは、左右方向において同じ位置に配置されている。そのため、前後方向から見たときに、磁気ヘッド３０Ａ、３２Ａ、３４Ａの少なくとも一部と、搬送ローラ７０Ａ〜７５Ａの少なくとも一部とが重なり、磁気ヘッド３０Ｂ、３２Ｂ、３４Ｂの少なくとも一部と、搬送ローラ７０Ｂ〜７５Ｂの少なくとも一部とが重なっている。
【００８１】
本形態では、左右方向における磁気ヘッド３０Ａ〜３５Ａの中心と、左右方向における搬送ローラ７０Ａ〜７５Ａの中心とが左右方向において同じ位置に配置されている。また、左右方向における磁気ヘッド３０Ｂ〜３５Ｂの中心と、左右方向における搬送ローラ７０Ｂ〜７５Ｂの中心とが左右方向において同じ位置に配置されている。また、本形態では、磁気ヘッド３０Ａ〜磁気ヘッド３５Ａの左右方向の幅が搬送ローラ７０Ａ〜７５Ａの左右方向の幅よりも広くなっており、磁気ヘッド３０Ａ〜３５Ａの一部と、搬送ローラ７０Ａ〜７５Ａの全体とが左右方向において同じ位置に配置されている。同様に、磁気ヘッド３０Ｂ〜磁気ヘッド３５Ｂの左右方向の幅は搬送ローラ７０Ｂ〜７５Ｂの左右方向の幅よりも広くなっており、磁気ヘッド３０Ｂ〜３５Ｂの一部と、搬送ローラ７０Ｂ〜７５Ｂの全体とが左右方向において同じ位置に配置されている。
【００８２】
媒体処理装置１では、記録媒体２のおもて面または裏面２ａのいずれが上側を向いた状態で媒体処理装置１に記録媒体２が挿入されたのかを磁気ヘッド３０、３１が検出する。すなわち、記録媒体２のおもて面を上にして記録媒体２が媒体挿入口６から挿入されると、記録媒体２の裏面２ａの磁気ストライプ２ｂが磁気ヘッド３０に接触して、磁気ヘッド３０から磁気信号が出力されるため、記録媒体２のおもて面が上側を向いた状態で媒体処理装置１に記録媒体２が挿入されたことが検知される。
【００８３】
一方、裏面２ａを上にして記録媒体２が媒体挿入口６から挿入されると、記録媒体２に磁気ヘッド３０が接触しても、磁気ヘッド３０から磁気信号は出力されないが、磁気ストライプ２ｂが磁気ヘッド３１に接触して、磁気ヘッド３１から磁気信号が出力されるため、記録媒体２の裏面２ａが上側を向いた状態で媒体処理装置１に記録媒体２が挿入されたことが検知される。なお、磁気ヘッド３０および磁気ヘッド３１の両方から磁気信号が出力されない場合には、媒体処理装置１は、記録媒体２が正規の記録媒体でないと判定する。
【００８４】
（データ処理部の概略動作）
データ処理部３では、記録媒体２が挿入される前の待機時には、ローラ保持部材５０は、接触位置５０Ａに配置され、ローラ保持部材６０は、退避位置６０Ｂに配置されている。この状態で、記録媒体２のおもて面が上を向いた状態で媒体挿入口６から記録媒体２が挿入されて、磁気ヘッド３０から磁気信号が出力されると、ローラ保持部材５０が接触位置５０Ａに配置され、かつ、ローラ保持部材６０が退避位置６０Ｂに配置された状態のまま、磁気ヘッド３０、３２、３４によって磁気データの読取りおよび記録が行われる。
【００８５】
一方、記録媒体２の裏面２ａが上を向いた状態で媒体挿入口６から記録媒体２が挿入されて、磁気ヘッド３１から磁気信号が出力されると、ローラ保持部材５０が接触位置５０Ａから退避位置５０Ｂに移動し、かつ、ローラ保持部材６０が退避位置６０Ｂから接触位置６０Ａに移動した後に、磁気ヘッド３１、３３、３５によって磁気データの読取りおよび記録が行われる。
【００８６】
（本形態の主な効果）
以上説明したように、本形態では、右側に配置される磁気ヘッド３０Ａ〜３５Ａの一部と、右側に配置される搬送ローラ７０Ａ〜７５Ａの全体とが左右方向において同じ位置に配置され、左側に配置される磁気ヘッド３０Ｂ〜３５Ｂの一部と、左側に配置される搬送ローラ７０Ｂ〜７５Ｂの全体とが左右方向において同じ位置に配置されている。そのため、本形態では、２個の磁気ヘッド３０Ａ、３０Ｂに記録媒体２が接触して記録媒体２に外力が作用しても、媒体搬送路９の右側における記録媒体２の搬送量と、媒体搬送路９の左側における記録媒体２の搬送量との差が発生するのを抑制することが可能になる。
【００８７】
同様に、２個の磁気ヘッド３１Ａ、３１Ｂに記録媒体２が接触して記録媒体２に外力が作用しても、また、２個の磁気ヘッド３２Ａ、３２Ｂに記録媒体２が接触して記録媒体２に外力が作用しても、さらに、２個の磁気ヘッド３３Ａ、３３Ｂに記録媒体２が接触して記録媒体２に外力が作用しても、さらにまた、２個の磁気ヘッド３４Ａ、３４Ｂに記録媒体２が接触して記録媒体２に外力が作用しても、また、２個の磁気ヘッド３５Ａ、３５Ｂに記録媒体２が接触して記録媒体２に外力が作用しても、媒体搬送路９の右側における記録媒体２の搬送量と、媒体搬送路９の左側における記録媒体２の搬送量との差が発生するのを抑制することが可能になる。
【００８８】
したがって、本形態では、搬送ローラ７０〜７５によって記録媒体２を搬送する場合であって、かつ、記録媒体２の幅方向である左右方向に、磁気ヘッド３０Ａ〜３５Ａと磁気ヘッド３０Ｂ〜３５Ｂとが配列されている場合であっても、磁気ヘッド３０〜３５に対する記録媒体２の傾きを抑制することが可能になる。
【００８９】
特に本形態では、左右方向における磁気ヘッド３０Ａ〜３５Ａの中心と、左右方向における搬送ローラ７０Ａ〜７５Ａの中心とが左右方向において同じ位置に配置され、左右方向における磁気ヘッド３０Ｂ〜３５Ｂの中心と、左右方向における搬送ローラ７０Ｂ〜７５Ｂの中心とが左右方向において同じ位置に配置されている。また、本形態では、上下方向から見たときに、中心線ＣＬ２に対して、磁気ヘッド３０Ａと磁気ヘッド３０Ｂとが対称に配置され、磁気ヘッド３１Ａと磁気ヘッド３１Ｂとが対称に配置され、磁気ヘッド３２Ａと磁気ヘッド３２Ｂとが対称に配置され、磁気ヘッド３３Ａと磁気ヘッド３３Ｂとが対称に配置され、磁気ヘッド３４Ａと磁気ヘッド３４Ｂとが対称に配置され、磁気ヘッド３５Ａと磁気ヘッド３５Ｂとが対称に配置され、搬送ローラ７０Ａと磁気ヘッド７０Ｂとが対称に配置され、搬送ローラ７１Ａと搬送ローラ７１Ｂとが対称に配置され、搬送ローラ７２Ａと搬送ローラ７２Ｂとが対称に配置され、搬送ローラ７３Ａと搬送ローラ７３Ｂとが対称に配置され、搬送ローラ７４Ａと搬送ローラ７４Ｂとが対称に配置され、搬送ローラ７５Ａと搬送ローラ７５Ｂとが対称に配置されている。
【００９０】
そのため、本形態では、２個の磁気ヘッド３０Ａ、３０Ｂに記録媒体２が接触して記録媒体２に外力が作用しても、また、２個の磁気ヘッド３１Ａ、３１Ｂに記録媒体２が接触して記録媒体２に外力が作用しても、さらに、２個の磁気ヘッド３２Ａ、３２Ｂに記録媒体２が接触して記録媒体２に外力が作用しても、さらにまた、２個の磁気ヘッド３３Ａ、３３Ｂに記録媒体２が接触して記録媒体２に外力が作用しても、また、２個の磁気ヘッド３４Ａ、３４Ｂに記録媒体２が接触して記録媒体２に外力が作用しても、さらに、２個の磁気ヘッド３５Ａ、３５Ｂに記録媒体２が接触して記録媒体２に外力が作用しても、媒体搬送路９の右側における記録媒体２の搬送量と、媒体搬送路９の左側における記録媒体２の搬送量との差が発生するのを効果的に抑制することが可能になる。
【００９１】
したがって、本形態では、磁気ヘッド３０〜３５に対する記録媒体２の傾きを効果的に抑制することが可能になる。また、本形態では、記録媒体２が比較的柔らかい紙媒体であっても、磁気ヘッド３０〜３５に記録媒体２が接触したときのねじれ等の記録媒体２の変形を抑制することが可能になる。
【００９２】
なお、２個のガイド部材２５の左右方向の間隔を狭くすることでも、磁気ヘッド３０〜３５に対する記録媒体２の傾きを抑制することは可能である。しかしながら、この場合には、媒体処理装置１で処理される記録媒体２の幅がばらついていて、比較的幅の広い記録媒体２が媒体処理装置１に取り込まれると、ガイド部材２５に記録媒体２が引っ掛かって記録媒体２を搬送できない場合が生じる。これに対して、本形態では、２個のガイド部材２５の間隔が広くなっていても、磁気ヘッド３０〜３５に対する記録媒体２の傾きを抑制することが可能であるため、かかる問題は生じない。
【００９３】
本形態では、磁気ヘッド３０、３１が、記録媒体２のおもて面または裏面２ａのいずれが上側を向いた状態で媒体処理装置１に記録媒体２が挿入されたのかを検出している。そのため、本形態では、記録媒体２のおもて面または裏面２ａのいずれが上側を向いた状態で媒体処理装置１に記録媒体２が挿入されたのかを検出するための検出機構が別途設けられている場合と比較して、媒体処理装置１の構成を簡素化することが可能になる。
【００９４】
本形態では、ローラ保持部材５０が接触位置５０Ａに配置されているときに、上下方向に直交する第１カム面５５ｃにカムフォロア５４が接触している。そのため、本形態では、パッドローラ４２、４４に記録媒体２からの反力が作用して、退避位置５０Ｂに向かう回動力がローラ保持部材５０に作用しても、カム部材５５には、前後方向の力は作用しない。したがって、本形態では、引張りコイルバネ５６の付勢力を弱めても、接触位置５０Ａに配置されるローラ保持部材５０を接触位置５０Ａで保持することが可能になる。
【００９５】
同様に本形態では、ローラ保持部材６０が接触位置６０Ａに配置されているときに、上下方向に直交する第１カム面６５ｃにカムフォロア６４が接触しているため、パッドローラ４１、４３、４５に記録媒体２からの反力が作用して、退避位置６０Ｂに向かう回動力がローラ保持部材６０に作用しても、カム部材６５には、前後方向の力は作用しない。したがって、本形態では、引張りコイルバネ６６の付勢力を弱めても、接触位置６０Ａに配置されるローラ保持部材６０を接触位置６０Ａで保持することが可能になる。
【００９６】
（他の実施の形態）
上述した形態は、本発明の好適な形態の一例ではあるが、これに限定されるものではなく本発明の要旨を変更しない範囲において種々変形実施が可能である。
【００９７】
上述した形態において、搬送ローラ７０〜７５は、媒体搬送路９の上側から媒体搬送路９に臨むように配置されていても良い。また、上述した形態において、左右方向における磁気ヘッド３０Ａ〜３５Ａの中心と、左右方向における搬送ローラ７０Ａ〜７５Ａの中心とが左右方向においてずれていても良い。また、上述した形態において、左右方向における磁気ヘッド３０Ｂ〜３５Ｂの中心と、左右方向における搬送ローラ７０Ｂ〜７５Ｂの中心とが左右方向においてずれていても良い。
【００９８】
上述した形態では、磁気ヘッド３０Ａ〜３５Ａと磁気ヘッド３０Ｂ〜３５Ｂとが媒体搬送路９の左右方向の中心線ＣＬ２に対して対称に配置されているが、磁気ヘッド３０Ａ〜３５Ａと磁気ヘッド３０Ｂ〜３５Ｂとが中心線ＣＬ２に対して対称に配置されていなくても良い。同様に、上述した形態では、搬送ローラ７０Ａ〜７５Ａと搬送ローラ７０Ｂ〜７５Ｂとが中心線ＣＬ２に対して対称に配置されているが、搬送ローラ７０Ａ〜７５Ａと搬送ローラ７０Ｂ〜７５Ｂとが中心線ＣＬ２に対して対称に配置されていなくても良い。
【００９９】
上述した形態において、磁気データ処理機構１２は、磁気ヘッド３１、３３、３５に代えて、磁気データの読取りと磁気データの記録とを行う読取り記録ヘッドを備えていても良い。この場合には、２個の読取り記録ヘッドが左右方向に配列されている。この場合には、裏面２ａを上にして記録媒体２が媒体挿入口６から挿入されたときに、読取り記録ヘッドで記録媒体２に記録された磁気データを読み取った後に、読取り記録ヘッドよりも前側に記録媒体２を搬送してから、再び、記録媒体２を後ろ側に搬送して、読取り記録ヘッドで記録媒体２に磁気データを記録する。また、その後、読取り記録ヘッドよりも前側に記録媒体２を搬送してから、再び、記録媒体２を後ろ側に搬送して、読取り記録ヘッドで、記録媒体２に磁気データが適切に記録されたのか否かを確認する。
【０１００】
この場合には、磁気データ処理機構１２が有する磁気ヘッドの数を減らすことが可能になるため、媒体処理装置１を小型化することが可能になるとともに、媒体処理装置１のコストを低減することが可能になる。また、記録媒体２の端部が磁気ヘッドに接触する回数を減らすことが可能になるため、媒体搬送路９での記録媒体２の詰まりを抑制しやすくなる。また、磁気ヘッドを減らした箇所に搬送ローラを配置することで、媒体搬送路９での記録媒体２の搬送力を高めることが可能になる。
【０１０１】
なお、この場合には、裏面２ａを上にして記録媒体２が媒体挿入口６から挿入されたときに、媒体処理装置１での記録媒体２の処理時間が長くなるが、自動改札機を利用するユーザは、一般に、記録媒体２のおもて面を上にして記録媒体２を媒体挿入口６に挿入することが多いため、実使用上、大きな問題はないと考えられる。
【０１０２】
上述した形態において、１本の磁気ストライプ２ｂに１トラックの磁気データのみが記録される場合には、磁気ヘッド３０〜３５は、１個のチャンネルを有する１チャンネル型の磁気ヘッドであっても良い。また、上述した形態と同様に、１本の磁気ストライプ２ｂに２トラックの磁気データが記録可能になっている場合であっても、磁気データ処理機構１２が備える磁気ヘッドは、１個のチャンネルを有する１チャンネル型の磁気ヘッドであっても良い。この場合には、１本の磁気ストライプ２ｂに２個の磁気ヘッドが接触可能となるように、媒体搬送路９の右側で２個の磁気ヘッドが隣接配置されるとともに、媒体搬送路９の左側で２個の磁気ヘッドが隣接配置される。なお、媒体搬送路９の左右の両側で２個の磁気ヘッドが隣接配置される場合には、媒体搬送路９の左右の両側で２個の搬送ローラが隣接配置されていても良い。
【０１０３】
上述した形態において、３個以上の磁気ヘッド３０が左右方向に配列されていても良いし、３個以上の磁気ヘッド３１が左右方向に配列されていても良いし、３個以上の磁気ヘッド３２が左右方向に配列されていても良いし、３個以上の磁気ヘッド３３が左右方向に配列されていても良いし、３個以上の磁気ヘッド３４が左右方向に配列されていても良いし、３個以上の磁気ヘッド３５が左右方向に配列されていても良い。
【０１０４】
たとえば、３個の磁気ヘッド３０〜３５が左右方向に配列されていても良い。この場合には、３個の搬送ローラ７０〜７５が左右方向に配列されていても良いし、上述した形態と同様に、２個の搬送ローラ７０〜７５が左右方向に配列されていても良い。３個の搬送ローラ７０〜７５が左右方向に配列されている場合であっても、上述した形態と同様に、右側に配置される磁気ヘッド３０〜３５の少なくとも一部と、右側に配置される搬送ローラ７０〜７５の少なくとも一部とは、左右方向において同じ位置に配置され、左側に配置される磁気ヘッド３０〜３５の少なくとも一部と、左側に配置される搬送ローラ７０〜７５の少なくとも一部とは、左右方向において同じ位置に配置されている。
【０１０５】
また、この場合には、左右方向の真ん中に配置される磁気ヘッド３０〜３５の少なくとも一部と、左右方向の真ん中に配置される搬送ローラ７０〜７５の少なくとも一部とが、左右方向において同じ位置に配置されていても良いし、左右方向の真ん中に配置される磁気ヘッド３０〜３５と、左右方向の真ん中に配置される搬送ローラ７０〜７５とが左右方向においてずれた位置に配置されていても良い。
【０１０６】
ただし、左右方向の真ん中に配置される磁気ヘッド３０〜３５の少なくとも一部と、左右方向の真ん中に配置される搬送ローラ７０〜７５の少なくとも一部とが、左右方向において同じ位置に配置されていることが好ましい。また、左右方向の真ん中に配置される磁気ヘッド３０〜３５の左右方向の中心と、左右方向の真ん中に配置される搬送ローラ７０〜７５の左右方向の中心とが左右方向において同じ位置に配置されていることがより好ましい。
【０１０７】
上述した形態では、パッドローラ移動機構４７は、パッドローラ４２、４４を一緒に移動させているが、磁気データ処理機構１２は、パッドローラ４２とパッドローラ４４とを個別に移動させる２個のパッドローラ移動機構を備えていても良い。同様に、磁気データ処理機構１２は、パッドローラ移動機構４８に代えて、パッドローラ４１とパッドローラ４３とパッドローラ４５とを個別に移動させる３個のパッドローラ移動機構を備えていても良い。
【０１０８】
上述した形態において、媒体取込機構１１は、記録媒体２のおもて面または裏面２ａのいずれが上側を向いた状態で媒体処理装置１に記録媒体２が挿入されたのかを検出するための検出機構を備えていても良い。この場合の検出機構は、たとえば、プリヘッドである。また、上述した形態において、媒体処理装置１は、自動改札機以外の機器に搭載されて使用されても良い。この場合には、データ処理部３は、記録媒体２に記録された磁気データの読取りのみを行っても良いし、記録媒体２への磁気データの記録のみを行っても良い。また、上述した形態において、媒体処理装置１で使用される記録媒体２は、厚さが０．１８〜０．３６ｍｍ程度のＰＥＴ（ポリエチレンテレフタレート）カード等であっても良い。
【０１０９】
なお、上述した形態において、搬送ローラ７０〜７５とパッドローラ７７とが同程度の硬度のゴムローラであっても良い。この場合には、媒体搬送路９の上下方向の中心位置で記録媒体２を搬送することが可能になるため、磁気ヘッド３０〜３５のそれぞれと記録媒体２との接触圧を同程度の接触圧とすることが可能になる。したがって、媒体搬送路９の下側に配置される磁気ヘッド３０、３４と、媒体搬送路９の上側に配置される磁気ヘッド３１、３５とによって、記録媒体２に記録された磁気データを同程度で読み取ることが可能になるとともに、媒体搬送路９の下側に配置される磁気ヘッド３２と、媒体搬送路９の上側に配置される磁気ヘッド３３とによって、記録媒体２に磁気データを同程度で記録することが可能になる。
【符号の説明】
【０１１０】
１  媒体処理装置
２  記録媒体
９  媒体搬送路
１０  媒体搬送機構
１２  磁気データ処理機構
２５  ガイド部材
３０〜３５  磁気ヘッド
３０Ａ〜３５Ａ  第１磁気ヘッド
３０Ｂ〜３５Ｂ  第２磁気ヘッド
３０  磁気ヘッド（第１読取り磁気ヘッド）
３１  磁気ヘッド（第２読取り磁気ヘッド）
３２  磁気ヘッド（第１記録磁気ヘッド）
３３  磁気ヘッド（第２記録磁気ヘッド）
４０〜４５  パッドローラ
５０、６０  ローラ保持部材
５０Ａ、６０Ａ  接触位置
５０Ｂ、６０Ｂ  退避位置
５１、６１  回動機構
５３、６３  ネジリコイルバネ（第１付勢部材）
５４、６４  カムフォロア
５５、６５  カム部材
５５ａ、６５ａ  カム面
５５ｃ、６５ｃ  第１カム面
５５ｄ、６５ｄ  第２カム面
５６、６６  引張りコイルバネ（第２付勢部材）
５７、６７  ソレノイド
７０〜７５  搬送ローラ
７０Ａ〜７５Ａ  第１搬送ローラ
７０Ｂ〜７５Ｂ  第２搬送ローラ
ＣＬ２  媒体搬送路の中心線
Ｘ  記録媒体の搬送方向
Ｙ  記録媒体の幅方向
Ｙ１  第１方向
Ｙ２  第２方向
Ｚ  記録媒体の厚さ方向
【図１】
2020166564.tif 000003
【図２】
2020166564.tif 000004
【図３】
2020166564.tif 000005
【図４】
2020166564.tif 000006
【図５】
2020166564.tif 000007
【図６】
2020166564.tif 000008
【図７】
2020166564.tif 000009